(57)【要約】【課題】感光体ドラムに対する露光走査手段の位置決めが確実且つ容易に行え、サービスメンテナンスにおいてもサービスオペレータが容易且つ確実に露光手段の位置修正を行うことができる電子写真画像形成装置を提供すること。【解決手段】電子写真画像形成装置において、電子写真感光体と、露光手段とを有し、前記露光手段若しくはその支持手段に複数設けた第１の位置決め穴と、露光手段の支持手段若しくは装置本体フレームに複数設けた第２の位置決め穴と、該第１及び第２の位置決め穴に係合し、前記露光手段と前記電子写真感光体との相対位置を設定する軸と、第１の複数の位置決め穴には、第２の複数の位置決め穴が個々に対応し、第１の複数の位置決め穴の相対位置と、第２の複数の位置決め穴の相対位置とが所定量異なり、該軸を係合させる穴毎に感光体に対する露光手段の相対位置を所定量変化させる手段を有する。【選択図】図１
2005249933.tif 000002
【特許請求の範囲】
【請求項１】
記録媒体に画像形成可能な電子写真画像形成装置において、
電子写真感光体と、画像データに基づき前記電子写真感光体に静電潜像を形成する露光手段とを有し、前記露光手段若しくはその支持手段に複数設けた第１の位置決め穴と、露光手段の支持手段若しくは装置本体フレームに複数設けた第２の位置決め穴と、該第１及び第２の位置決め穴に係合し、前記露光手段と前記電子写真感光体との相対位置を設定する軸と、第１の複数の位置決め穴には、第２の複数の位置決め穴が個々に対応し、第１の複数の位置決め穴の相対位置と、第２の複数の位置決め穴の相対位置とが所定量異なり、該軸を係合させる穴毎に感光体に対する露光手段の相対位置を所定量変化させる手段を有することを特徴とする電子写真画像形成装置。
【請求項２】
前記露光手段は、光源と偏向手段及び結像手段を内蔵したレーザ走査ユニットであることを特徴とする請求項１記載の電子写真画像形成装置。
【請求項３】
前記軸は、装置本体のサービスオペレーションのアクセス方向に抜き差し可能であることを特徴とする請求項１記載の電子写真画像形成装置。
【請求項４】
前記該露光手段は、複数の感光体に対応して複数設けられており、該位置決め手段が各露光手段毎に設けられていることを特徴とする請求項１記載の電子写真画像形成装置。
【発明の詳細な説明】
【技術分野】
【０００１】
本発明は、一般的には、電子写真方式の画像形成装置に係り、限定するものではないが、複写機を始め、ファクシミリやコンピュータ等の出力部を構成する記録装置等種々に用いて好適であり、詳しくは感光体を露光する露光手段の位置決め手段に関するものである。
【背景技術】
【０００２】
従来より電子写真を採用した画像形成装置においては、像担持体としての感光体を帯電器により帯電し、この感光体に画像情報に応じた光照射を行って潜像を形成し、この潜像を現像器によって現像して得た現像像をシート材等に転写して画像を形成することが行われている。このような画像形成装置で光照射を行う手段は、レーザビームを偏向し感光体上に結像するレーザスキャナユニットやＬＥＤラインヘッド等の光走査ユニットが、感光体と所定の位置関係を保つことで実現しており、感光体と光照射手段の位置関係が損なわれると、シート材上の画像位置や、サイズ大小、歪み、ぼけ等の画像不良を生じることがある。
【０００３】
特許文献１，２は、光走査ユニットの装置本体フレームに対する位置決め調整方法に関するもので、それぞれ図１０に電子写真装置の平面図、図１１にデジタルカラー複写機が備えるレーザスキャナユニットの斜視図を示す。特許文献１，２は光走査ユニットを支持する支持部材２０８及び３００ａ〜３００ｄを、一端側を回転軸として回動可能に支持する手段を設け回動させることで、光走査ユニットの走査線を感光ドラムの母線に平行となるよう調整されるものである。
【０００４】
ところで、上記のような電子写真装置、或はデジタルカラー複写機は設置する床等の平面性により、設置後にフレームに歪みが生じ、結果としてシート材上の画像位置や歪み等の画像不良を生じてしまうこともあり、このような場合は、サービスオペレータが光走査ユニットの位置を調整して修正することが行われている。特に、光走査ユニットで感光体表面上を走査する走査線に傾きが生じている場合は、電気的な調整手段等で改善することは難しいため、光走査ユニットの位置を調整することが必須となっている。
【０００５】
【特許文献１】特開平７−３２３２３８号公報
【特許文献２】特開２００１−３２２３１１号公報
【発明の開示】
【発明が解決しようとする課題】
【０００６】
しかしながら、上記の従来例では、感光体と光走査ユニットの相対位置を調整する場合、調整に際して支持部材を回動させる回転角度が一般に±０．２°未満等と小さく、生産時やサービスメンテナンス時の作業性が悪い問題がある。特許文献２では、図１２に示すように、調整用ボルト３０２とバネ３０４を用いて微小な調整を可能としているが、作業者の経験に頼るところがあり、又、特に生産時においては、生産時間の削減、或は簡略化が重要な課題であるのに対して、上記従来例では初期位置決めをするために、必ず工具を用いた工程を必要とする問題があった。
【０００７】
本発明は上記問題に鑑みてなされたもので、その目的とする処は、感光体ドラムに対する露光走査手段の位置決めが確実且つ容易に行え、生産時の基準位置決めが治工具等を用いず容易に行え、更に、サービスメンテナンスにおいてもサービスオペレータが容易且つ確実に露光手段の位置修正を行うことができる電子写真画像形成装置を提供することにある。
【課題を解決するための手段】
【０００８】
上記目的を達成するため、請求項１記載の発明は、記録媒体に画像形成可能な電子写真画像形成装置において、電子写真感光体と、画像データに基づき前記電子写真感光体に静電潜像を形成する露光手段とを有し、前記露光手段若しくはその支持手段に複数設けた第１の位置決め穴と、露光手段の支持手段若しくは装置本体フレームに複数設けた第２の位置決め穴と、該第１及び第２の位置決め穴に係合し、前記露光手段と前記電子写真感光体との相対位置を設定する軸と、第１の複数の位置決め穴には、第２の複数の位置決め穴が個々に対応し、第１の複数の位置決め穴の相対位置と、第２の複数の位置決め穴の相対位置とが所定量異なり、該軸を係合させる穴毎に感光体に対する露光手段の相対位置を所定量変化させる手段を有することを特徴とする。
【０００９】
請求項２記載の発明は、請求項１記載の発明において、前記露光手段は、光源と偏向手段及び結像手段を内蔵したレーザ走査ユニットであることを特徴とする。
【００１０】
請求項３記載の発明は、請求項１記載の発明において、前記軸は、装置本体のサービスオペレーションのアクセス方向に抜き差し可能であることを特徴とする。
【００１１】
請求項４記載の発明は、請求項１記載の発明において、前記該露光手段は、複数の感光体に対応して複数設けられており、該位置決め手段が各露光手段毎に設けられていることを特徴とする。
【発明の効果】
【００１２】
本発明によれば、ピンの差込み位置を選択することで、感光体ドラムに対する露光走査手段の位置決め及び変更が、定量的、確実且つ容易に行え、又、生産時においては、基準となる位置にピンを差し込む構成で初期の基準位置決めが精度良く、治工具等を用いず容易に行え、サービスメンテナンスにおいても、サービスオペレータのアクセス方向に位置決めピンの挿抜が行えることにより、サービスオペレータが容易に露光手段の位置修正を行うことができる。
【発明を実施するための最良の形態】
【００１３】
以下に本発明の実施の形態を添付図面に基づいて説明する。
【００１４】
＜実施の形態１＞
図１はレーザプリンターが備え、レーザスキャナーを支持するステイ（以下、スキャナステイ）の位置決め及び固定手段を示す概略図で、図４はそのスキャナーステイ支持部を側方から見た概略図である。又、図２はレーザプリンターの概略図で、図５はレーザスキャナーの構成を示す概略図である。
【００１５】
ここでは、説明の順序としてレーザスキャナー及び画像形成プロセスによるレーザプリンターの全体構成について説明し、次にスキャナステイの位置決め及び固定手段について説明する。
【００１６】
図５において、１２２は半導体レーザを内蔵し、その発光駆動部とレーザ光をコリメートする光学手段を備えたレーザユニットで、レーザユニットから出射されるビーム光は、モータ手段の回転軸に設けられた回転ポリゴンミラー１２１により偏向され、ｆθレンズ１２３，１２４により結像位置で所定のスポットサイズとなるように整えられ、感光体ドラムの表面に照射される。又、１２６〜１２８は感光ドラム上にレーザ光を走査する際のライン毎の基準信号を作成する手段である。
【００１７】
次に、図２において画像形成プロセスを説明する。
【００１８】
５０はレーザプリンター５の制御及び画像データを制御するコントローラで、予め帯電ローラ５３により一様の電位に帯電された感光ドラム５１の表面に対し、コントローラ５０からの画像信号に基づき前記レーザスキャナーにより潜像を形成し、現像剤であるトナーにより現像手段５４でトナー像形成を行う。そして、前記トナー像と同期して、記録媒体Ｓ１を転写材カセット６３から給紙ローラ６２、搬送ローラ対６１，６０、レジストローラ対５９等から成る搬送手段で搬送し、電圧を印加した転写ローラ５５において、前記感光体ドラムに形成したトナー像を転写し、その後、ヒータが内蔵された定着ローラ対５６に送り込み、熱及び圧力を印加することで画像の定着を行う。そして、この記録媒体Ｓ１は、搬送ローラ対５７及び排紙コロ５８により排紙トレイ６５上へと排出される。
【００１９】
一方、記録媒体にトナー像を転写した後の感光ドラム表面は、クリーニング手段６４において残留トナーが除去され、再度帯電ローラ５３により帯電され、潜像形成が行われる。
【００２０】
次に、スキャナステイの位置決め及び固定手段について説明する。
【００２１】
図１及び図４において、２はレーザスキャナー１を位置決め支持するスキャナーステイで、レーザプリンター本体に対してフロントフレーム３とリアフレーム７に渡すように水平に取り付けられるものである。図１ではスキャナーステイ２とフロントフレーム３との間の位置決め及び固定手段のみ示しているが、スキャナーステイ２とリアフレーム７との間も、図１に示すものと同様の構成が対象に設けられているものである。
【００２２】
スキャナーステイ２のフロントフレーム３との取り付け部には、長穴から成る５つの位置決め穴２２ａ〜２２ｅと、丸穴から成る５つの位置決め穴２３ａ〜２３ｅがそれぞれ水平に等間隔で整列し、又、２５ａ〜２５ｃはネジ止め用の雌ネジで、２６ａ〜２６ｂはフロントフレーム３の外側からスキャナステイ２を操作できるようにした把手部である。
【００２３】
フロントフレーム３には、前記位置決め穴２２ａ〜２２ｅと、２３ａ〜２３ｅに一対一に対応するように、位置決め用の丸穴３２ａ〜３２ｅと、３３ａ〜３３ｅが設けられ、３５ａ〜３５ｃはネジ固定用の穴で、３６ａ、３６ｂはスキャナステイの把手部２６ａ，２６ｂの窓部である。ここで、位置決め用の丸穴３２ａ〜３２ｅ（３３ａ〜３３ｅは同等）について図３の詳細配置図を用いて説明すると、３２ａ〜３２ｅ穴は、水平方向には前記スキャナステイの位置決め長穴２２ａ〜２２ｅと等間隔に並べられ、鉛直方向には０．３ｍｍずつシフトして設けられている。又、各位置決め穴の上部には、それぞれ１〜５の文字が刻印がされている。
【００２４】
スキャナステイの位置決めは、位置決めピン４２ａ，４２ｂがそれぞれ設けられた位置決め部材４１ａ，４１ｂを初期位置として、フロントフレーム３のそれぞれ３２ｃと３３ｃの穴及びスキャナステイ２のそれぞれ２２ｃ、２３ｃに差し込み、位置決め部材４１ａ，４１ｂをネジ４３ａ，４３ｂで雌ネジ３７ａ，３７ｂに締結することで行い、スキャナステイの固定は、ネジ４４ａ〜４４ｃでスキャナステイ２をフロントフレーム３に確実に締結することで行うものである。
【００２５】
レーザプリンターの生産時においては、大半が上記初期位置での位置決めにて画像に問題を生じることはなく、そのまま完成することができる。ところが、部品精度のばらつき等により、特に感光体ドラム５１に対して、レーザ露光の走査線の傾きが大きく生じた場合については、前記４１ａ，４１ｂ、４３ａ〜４３ｃのネジ緩めるか外し、傾いている量に対して必要な修正量だけ位置決め部材４１ａ及び４１ｂの差込み位置を変更し、前記同様にネジを再固定することを行ってその修正を行う。修正の再は把手部２６ａ，２６ｂを持って位置決め部材を挿入することで、操作性を向上している。
【００２６】
又、レーザプリンターを同様に量産する過程において、部品のロット毎の傾向として、露光位置に決まったズレの傾向が生じた場合は、４箇所の位置決めピンの差込み位置を管理することで、精度良いレーザスキャナユニットの位置決めが可能となる。
【００２７】
ここで、本実施の形態のレーザプリンターにおいて、例えばフロントフレーム側からのみ走査線の傾き修正する場合について、その修正の概略構成を図７に示す。
【００２８】
図７において、初期位置のドラム表面上でのレーザスキャナーの走査線Ｌ１に対して、位置決め部材４１ａ，４１ｂの差込み位置を同期して、３２ａ〜３２ｅ及び３３ａ〜３３ｅについて左右に１つ移動する毎に、走査線の相対位置はＬ２又はＬ４と移動し、０．２４ｍｍの傾きが変化する。尚、修正と同時に３２ａ〜３２ｅの位置決め穴を左右に１つ移動する毎に０．１２ｍｍの走査線の位置がシフトするが、本実施の形態のレーザプリンターにおいては、画像の書き出しの電気タイミングを変更することで、問題なく修正することができる。又、２段階以上の走査線傾き修正については、フロントフレーム側とリアフレーム側を逆方向に移動させることで、前記シフト量を小さくすることができる。
【００２９】
尚、本実施の形態では、傾きの修正手段についてのみ説明したが、本実施の形態においては、全４箇所に設けたスキャナステイの調整手段を用いることにより、照射角度を変えることなく、レーザスキャナユニットの感光体への走査線の高さ方向に移動することも可能である。
【００３０】
＜実施の形態２＞
図８は本発明の実施の形態２を示すレーザスキャナーの位置決め及び固定手段を示す概略図で、図９は本実施の形態を用いた高速フルカラー複写機の概略図である。
【００３１】
本実施の形態においても、順序として画像形成プロセスによる高速フルカラープリンターの全体構成について説明し、次にスキャナステイの位置決め及び固定手段について説明する。
【００３２】
先ず、図９において、１１０は高速フルカラープリンターで、１１０の高速フルカラープリンターには４つの画像ステーションＰａ，Ｐｂ，Ｐｃ，Ｐｄが配置され、各画像形成ステーションは像担持体として感光ドラム１０２ａ，１０２ｂ，１０２ｃ，１０２ｄを有する。
【００３３】
又、その周りには専用の帯電手段１０３ａ，１０３ｂ，１０３ｃ，１０３ｄ、画像情報に応じた光を感光ドラムに照射するためのレーザスキャナユニット１０１ａ，１０１ｂ，１０１ｃ，１０１ｄ、現像手段１０５ａ，１０５ｂ，１０５ｃ，１０５ｄ、ドラムクリーニング手段１０４ａ，１０４ｂ，１０４ｃ，１０４ｄ、転写手段１０６ａ，１０６ｂ，１０６ｃ，１０６ｄがそれぞれ配置されている。ここで、画像形成ステーションＰａ，Ｐｂ，Ｐｃ，Ｐｄはそれぞれシアン画像、マゼンタ画像、イエロー画像、ブラック画像を形成するところである。
【００３４】
一方、各画像形成ステーションＰａ〜Ｐｄを通過する態様で感光ドラム１０２ａ，１０２ｂ，１０２ｃ，１０２ｄの下方に無端ベルト状の中間転写ベルト１６１が配置され、その中間転写ベルト１６１は駆動ローラ１６２と従動ローラ１６３及び１６５に張架され、更に、その表面を清掃するクリーニング手段１６０が設けられている。
【００３５】
斯かる構成において、先ず第１画像形成ステーションＰａの帯電手段１０３ａ、レーザスキャナユニット１０１ａによる露光等の公知の電子写真プロセス手段により感光ドラム１０２ａ上に画像情報のシアン成分の潜像を形成した後、該潜像は現像手段１０５ａでシアントナーを有する現像剤によりシアントナー像として可視像化され、転写手段１０６ａでシアントナー像が中間転写ベルト１６１の表面に転写される。
【００３６】
一方、上記シアントナー像が中間転写ベルト１６１上に転写されている間に第２の画像形成ステーションＰｂでは、マゼンタ成分色の潜像が形成され、続いて現像手段１０５ｂでマゼンタトナーによるトナー像が得られ、先の第１画像形成ステーションＰａで転写が終了した中間転写ベルト１６１に転写手段１０６ｂにて精度良くマゼンタトナー像が重ねて転写される。
【００３７】
以下、イエロー像、ブラック像についても同様な方法で画像形成が行われ、中間転写ベルト１６１に４色のトナー像の重ね合せが終了すると、中間転写ベルト上の４色トナー像は、２次転写ローラ１６６にて給紙カセット１７０内にあって給紙ローラ１７１及び搬送ローラ対１７２、レジストローラ対１７３によりタイミングを合せて搬送されたシート材Ｓ４上に再び転写（２次転写）される。そして、２次転写が終了したシート材Ｓ４は、定着ローラ対１７４で転写されたトナー像が加熱定着され、シート材Ｓにフルカラー画像が得られる。
【００３８】
尚、転写が終了したそれぞれの感光ドラム１０２ａ〜１０２ｄはクリーニング手段１０４ａ〜１０４ｄで各ドラムから残留トナーが除去され、引き続き行われる像形成に備えられる。
【００３９】
次に、スキャナステイの位置決め及び固定手段について説明する。
【００４０】
図８において、１０１ａは実施の形態１と同様な基本構成から成るレーザスキャナユニットを鉛直に配置させたもので、図９のレーザスキャナユニット１０１ａ〜１０１ｄは図８に示す同じ構成で本体に位置決め固定され、レーザスキャナユニット１０１ａは、レーザプリンター本体に対して、直接フロントフレーム１３１とリアフレーム１３２に取り付けられるものである。
【００４１】
リアフレーム１３２において、１３５ａ，１３５ｂは位置決め穴で、それぞれレーザスキャナユニット１０１ａの位置決めボス１４５ａと１４５ｂが係合してレーザスキャナユニットを位置決めするものであり、１３６ａ，１３６ｂはレーザスキャナユニット１０１ａをリアフレーム１３２に固定するためのネジ固定穴であり、レーザスキャナユニットには対応した位置に不図示の雌ネジ穴が設けられている。
【００４２】
又、フロントフレーム１３１において、１３３はレーザスキャナユニットを回動させる際に用いるレーザスキャナユニットの把手部１４１の窓部で、１３４ａ〜１３４ｅは、鉛直方向に一定間隔で、水平方向に０．２ｍｍ毎にシフトさせて設けた長丸穴であり、各穴の近傍には１〜５の文字の刻印が施されている。１４２ａ〜１４２ｅはレーザスキャナユニット１０１ａのフロントフレーム側に設けられた雌ネジ部で、前記位置決め穴１３４ａ〜１３４ｅの鉛直方向の間隔と等しく鉛直に一線上に配置されている。本実施の形態では、各画像ステーションの画像の傾きを、前記フロントフレーム１３１の位置決め穴１３４ａ〜１３４ｅに係合する段ビス１３７を差込み、レーザスキャナユニットのネジ穴にねじ込むことで、感光体ドラム１０２ａに対し、レーザスキャナユニットをリアフレームを回動中心として回動させ、レーザ光の走査線の傾きを所定量ピッチで変更することを可能としている。本実施の形態では、感光体に対するレーザ光の走査線の傾きを調整する手段のみが可能であるが、本実施の形態のような所謂タンデム方式のフルカラープリンターにおいては、特に電気的には修正することが困難な項目であるので、十分な効果を得ることができる。
【００４３】
＜その他の実施例＞
以上に説明した実施の形態１，２では、全てフロントフレーム、若しくはリアフレームにてスキャナ位置の調整を行うものについて説明したが、本発明はこれに限るものではなく、図１０に示すように、レーザスキャナユニットの位置をスキャナステイ上に位置決めする手段に用いても良い。
【００４４】
ここで、図１０の構成について説明すると、スキャナステイ１５０上にレーザスキャナユニット１５１を位置決めする手段において、レーザスキャナケース１５２のレーザ光出射窓近傍に設けた位置決め穴１５４ａ〜１５４ｅと、スキャナステイ１５０に設けた位置決め穴１５８ａ〜１５８ｅ（１５８ｃは図中１５４ｃと一致）に、少なくとも１５４ａ〜１５４ｅ穴に軽圧入する位置決めボス１５９を持った位置決め部材を用いて、スキャナーケースのボス１５５を中心に、スキャナーユニットが図中Ｒ方向に回動し、画像の左右の倍率異常の修正を可能としたものである。
【００４５】
又、露光手段としてレーザスキャナ装置についてのみ説明したが、これに限るものではなく、例えばＬＥＤアレイを用いた露光手段についても有効な手段である。
【図面の簡単な説明】
【００４６】
【図１】本発明の実施の形態１を示すスキャナステイの位置決め及び固定手段を示す概略図である。
【図２】本発明の実施の形態１を用いたレーザプリンターの概略図である。
【図３】本発明の実施の形態１の本体メインフレームのスキャナーステイ位置決め穴の詳細配置を示す図である。
【図４】本発明の実施の形態１のプリンターのスキャナステイ支持部を側面方向から見た概略図である。
【図５】本発明の実施の形態１のレーザスキャナユニット内の構成を示す概略図である。
【図６】本発明の実施の形態１の走査線の傾き修正の概略構成を示す図
【図７】本発明の実施の形態２を示すレーザスキャナユニットの位置決め及び固定手段を示す概略図である。
【図８】本発明の実施の形態２を用いた高速フルカラープリンターの概略図である。
【図９】その他の実施例を示すレーザスキャナユニットの位置決め手段を示す概略図である。
【図１０】特開平７−３２５２３８号公報の走査装置の支持形態を示す図である。
【図１１】特開２００１−３２２３１１号公報の画像形成装置であるデジタルカラー複写機が備えるレーザ露光装置を示す概略図である。
【図１２】特開２００１−３２２３１１号公報の走査装置の支持形態を示す図である。
【符号の説明】
【００４７】
１，１０１ａ〜ｄ，１５１，３２７ａ〜ｄ  レーザスキャナユニット
２，１５０    スキャナ支持ステイ
３，１３１，２０２，３５１ａ  フロントフレーム
５        プリンター
７，１３２，２０３，３５１ｂ  リアフレーム
２２ａ〜ｅ，２３ａ〜ｅ，１３４ａ〜ｅ，１５４ａ〜ｅ  位置決め穴
２５ａ〜ｃ    Ｍ３タップ穴
２６ａ〜ｄ，１４１  把手
３２ａ〜ｅ，３３ａ〜ｅ，１４９，１５８ａ〜ｅ  位置決め穴  
３５ａ〜ｃ    ネジ止め穴
３６ａ〜ｂ，１３３  把手窓
３７ａ〜ｂ    Ｍ３タップ穴
３８ａ〜ｅ    刻印
４１ａ〜ｂ    位置決め部材
４２ａ〜ｄ，１５９  位置決めピン
４３ａ〜ｄ，４４ａ〜ｃ  ネジ
５０，１９９    コントローラ
５１，２１４    感光体ドラム
５３        帯電ローラ
５４        現像器
５５        転写ローラ
５６，１７４    定着ローラ対
５７，６０，６１，１７２，１７５  搬送ローラ対
５８，１７６    排紙コロ
５９，１７３    レジストローラ対
６２，１７１    給紙ローラ
６３        転写材カセット
６４        ドラムクリーナー
６５，１７９    排紙トレイ
１０２ａ〜ｄ    感光体ドラム
１０３ａ〜ｄ    帯電器
１０４ａ〜ｄ    ドラムクリーナ
１０５ａ〜ｄ    現像器
１０６ａ〜ｄ    転写ブレード
１１０      高速フルカラープリンタ
１２０，１５２  スキャナーケース
１２０−１〜３，１５２ａ〜ｃ  固定足
１２１      ポリゴンミラー
１２２      レーザユニット
１２３，１２４  ｆθレンズ
１２６      ＢＤミラー
１２７      ＢＤレンズ
１２８      ＢＤセンサ
１３５ａ〜ｂ    位置決め穴
１３６ａ〜ｂ    ネジ固定穴
１３７      段付きビス
１４２ａ〜ｅ    ネジ穴
１４５ａ〜ｂ，１５５  位置決めボス
１４８      レーザ光軸
１５３ａ〜ｃ    ネジ固定
１５６ａ〜ｃ    Ｍ３タップ
１５７      位置決め部材
１５８ａ〜ｅ    位置決め長穴
１６０      ベルトクリーナー
１６１      中間転写ベルト
１６２      ベルト駆動ローラ
１６３      転写内ローラ
１６４      従動ローラ
１６６      転写ローラ
１６９      レジ検知ユニット
１７０      給紙カセット
１７１      給紙ローラ
１７２      搬送ローラ
２１３      光走査ユニット
２０６      トッププレート
２０７，２０８  シャフト
２２１，２２２，２２３  保持部材
２２４      ボス
３００，３００ａ〜ｄ  支持部材
３０２      調整ボルト
３０４      バネ
３１０，３５１  複写機
Ｌ１〜Ｌ５    走査線修正の設計値
Ｆ１，Ｒ１    画像端部の走査線修正位置
Ｓ１〜Ｓ４    転写材
【図１】
2005249933.tif 000003
【図２】
2005249933.tif 000004
【図３】
2005249933.tif 000005
【図４】
2005249933.tif 000006
【図５】
2005249933.tif 000007
【図６】
2005249933.tif 000008
【図７】
2005249933.tif 000009
【図８】
2005249933.tif 000010
【図９】
2005249933.tif 000011
【図１０】
2005249933.tif 000012
【図１１】
2005249933.tif 000013
【図１２】
2005249933.tif 000014